(57)【要約】【課題】熟練した技術がなくとも使用可能な美容装置を提供する。【解決手段】圧縮ガスを搬送する搬送路４と、搬送路４内に設けられており金微粒子、コラーゲン、美容液、毒素、又は育毛剤などの肌への供給対象を保持する保持手段７と、搬送路４に対する圧縮ガスを断続的に供給するように制御する制御手段１３と、保持手段７に接続されていて前記供給対象を含む圧縮ガスを肌１２に向けて送出する送出手段９とを備える。【選択図】図１
2008237626.tif 000002
【特許請求の範囲】
【請求項１】
圧縮ガスを搬送する搬送路と、
前記搬送路内に設けられており肌への供給対象を保持する保持手段と、
前記搬送路に対する圧縮ガスを断続的に供給するように制御する制御手段と、
前記保持手段に接続されていて前記供給対象を含む圧縮ガスを肌に向けて送出する送出手段と、を備える美容装置。
【請求項２】
前記供給対象は、金微粒子、コラーゲン、美容液、毒素、又は育毛剤である、請求項１記載の美容装置。
【請求項３】
前記送出手段は、前記供給対象を皮膚内に注入する注入手段を含む、請求項１記載の美容装置。
【請求項４】
前記送出手段によって圧縮ガスを送出する際に肌の温度が高めておくための加熱手段を備える、請求項１記載の美容装置。
【請求項５】
前記保持手段によって保持される供給対象が収容されている容器であって、
前記保持手段への保持前に容器本体の開口部を覆っていて、前記保持手段への保持後に前記圧縮ガスによって破断されるフィルムを有する容器。
【請求項６】
肌への供給対象が収容されており、容器本体の開口部に剥離可能なフィルムが貼付されていて、容器本体は圧縮ガスが当てられる結果として前記供給対象を肌に供給する容器。
【発明の詳細な説明】
【技術分野】
【０００１】
本発明は、美容装置及び容器に関し、特に、金によって肌の細胞を活性化させる美容装置及び容器に関する。
【背景技術】
【０００２】
従来、特許文献１に記載されているように、金が肌に美容に対して効果的であることが知られている。この他にも、非特許文献１に記載されているように、実際に、肌内に、金の細線を埋め込み、肌の弛みを解消する美容技術があった。
【０００３】
非特許文献１によると、真皮に金の細線を通すと、金が細胞に働きかけて、皮膚が自ら若返りだすとされている。さらに、細胞が活性化し、皮膚のターンオーバーが亢進し、肌の血行改善、皮膚の弾力の高まり、シミやシワの消失などのメリットも得られるとされている。
【０００４】
【特許文献１】特開２００６−３３５７３３号公報
【非特許文献１】http://goldfilament.net/gekisha.html
【発明の開示】
【発明が解決しようとする課題】
【０００５】
しかし、肌に金の細線を埋め込む際には、熟練した技術が必要である。熟練した技術がないと、金の細線を通す際に用いる針によって生じる針穴に発赤が見られるなど、肌にダメージを与えることになる。同様に、熟練した技術がないと、肌内部では、内出血が生じたり、腫れが生じたりする場合もある。
【０００６】
そこで、本発明は、熟練した技術がなくとも使用可能な美容装置を提供することを課題とする。
【課題を解決するための手段】
【０００７】
上記課題を解決するために、本発明の美容装置は、
圧縮ガスを搬送する搬送路と、
前記搬送路内に設けられており肌への供給対象を保持する保持手段と、
前記搬送路に対する圧縮ガスを断続的に供給するように制御する制御手段と、
前記保持手段に接続されていて前記供給対象を含む圧縮ガスを肌に向けて送出する送出手段とを備える。
【０００８】
すなわち、本発明は、一例として、供給対象として金のナノ微粒子を用い、これを高圧ガスの圧力により毛穴に浸透させて肌を活性化するものである。
【０００９】
前記供給対象は、金微粒子はもちろんのこと、コラーゲン、美容液、毒素、又は育毛剤とすることができる。前記送出手段として、前記供給対象を皮膚内に注入する、すなわち、真皮まで到達させる手段を含めれば、供給対象が肌から離脱しにくくなり、美容効果の持続性を向上させることができる。
【００１０】
また、本発明の容器は、前記保持手段によって保持される供給対象が収容されている容器であって、
前記保持手段への保持前に容器本体の開口部を覆っていて、前記保持手段への保持後に前記圧縮ガスによって破断されるフィルムを有する。
【００１１】
或いは、本発明の容器は、肌への供給対象が収容されており、容器本体の開口部に剥離可能なフィルムが貼付されていて、容器本体は圧縮ガスが当てられる結果として前記供給対象を肌に供給する。
【００１２】
このような容器を用いると、供給対象の取扱性が向上する。
【発明の実施の形態】
【００１３】
以下、本発明の実施形態について、図面を参照して説明する。
（実施形態１）
図１は、本発明の実施形態１の美容装置の模式的な構成図である。図１には、以下説明する、窒素ガスボンベ１と、減圧弁２と、エアオペレートバルブ３と、ステンレスパイプ４と、ステンレスフレキシブルパイプ５と、金微粒子６と、容器保持部７と、カバー８と、ノズル９と、金微粒子含有窒素ガス１０と、肌１２と、制御回路１３とを示している。
【００１４】
窒素ガスボンベ１は、圧縮ガスであるところの窒素ガスが貯蔵されている。なお、圧縮ガスは、不活性ガスであればよく、このため、窒素ガスボンベ１に代えて、酸素ガスボンベを用いることもできるし、エアコンプレッサを用いることもできる。一例として、窒素ガスボンベ１は、容積が４５Ｌ前後、充填圧力が１５０ｋｇ／ｃｍ２程度のものを用いる。
【００１５】
減圧弁２は、両端がそれぞれステンレスパイプ４に接続されている。減圧弁２は、窒素ガスボンベ１からの窒素ガスの噴出圧力を調整するものである。減圧弁２は、典型的には、美容装置の使用開始時に開状態とされ、使用終了時に閉状態とされる。減圧弁２は、肌１２への金微粒子含有窒素ガス１０の噴出圧力が、例えば、２Ｋｇ／ｃｍ２〜１０Ｋｇ／ｃｍ２となるような条件としている。
【００１６】
エアオペレートバルブ３は、両端がそれぞれステンレスパイプ４に接続されている。エアオペレートバルブ３は、減圧弁２によって減圧された窒素ガスを、容器保持部７側に搬送する際に開状態となる。エアオペレートバルブ３の開閉制御は、制御回路１３から出力される制御信号に従ってなされる。エアオペレートバルブ３の１回あたりの開状態とされる時間は、例えば、０．５秒〜１秒程度としている。
【００１７】
ステンレスパイプ４は、窒素ガスボンベ１と減圧弁２との間、減圧弁２とエアオペレートバルブ３との間、エアオペレートバルブ３とステンレスパイプ４との間に、それぞれ接続されている搬送路である。ステンレスパイプ４は、窒素ガスボンベ１から容器保持部７まで、窒素ガスを搬送するものである。なお、ステンレスパイプ４に代えて、ポリテトラフルオロエチレンパイプなどを用いてもよい。ステンレスパイプ４の外径は、１／４インチ〜１／２インチ程度とする。
【００１８】
ステンレスフレキシブルパイプ５は、ステンレスパイプ４と一体的に形成されているものである。ステンレスフレキシブルパイプ５を用いると、容器保持部７よりも下流の各部材の位置が、肌１２に対して可動となる。もっとも、肌１２側が容器保持部７等に対して可動するようにして、ステンレスフレキシブルパイプ５を採用することなく、ステンレスパイプ４としてもよい。
【００１９】
金微粒子６は、後述するように、例えば、純水、化粧水、水道水、生理食塩水、或いは、コラーゲン２１に混合された状態でパッケージ化された容器２５に収容される。金微粒子６の大きさは、毛穴等を通じて肌１２に浸透する、毛根などに到達するように、平均直径が０．００１〜０．０１ｍｍ程度としてある。なお、本実施形態では、肌１２への供給対象の一例として金微粒子６を示しているが、例えば、育毛剤、ボツリヌスなどの毒素、アルジルリンなどが配合された化粧品などを採用することもできる。
【００２０】
容器保持部７は、ステンレスフレキシブルパイプ５とノズル９との間に取り付けられていている。容器保持部７は、金微粒子６が収容されている容器２５を保持するものである。なお、容器２５自体を収容するのではなく、
カバー８は、ノズル９の周辺に着脱可能な構成としている。カバー８は、金微粒子含有窒素ガス１０の飛散を防止するものである。カバー８の素材は、ゴムまたは柔らかい材質のプラスチックを用いる。ここでは、ノズル９から直接放射的に噴出される金微粒子含有窒素ガス１０及び容器２５下の押し出される空気はもとより、肌１２からはねかえる金微粒子含有窒素ガス１０の飛散も防止している。
【００２１】
ノズル９は、容器保持部７に対して着脱可能な構成の送出手段である。ノズル９は、複数の孔を有していて、各孔は、直径が例えば５ｍｍ〜２０ｍｍの大きさとしている。実際には、３つのノズル９を用意しておき、肌１２の略平坦部分の面積に応じて選択的に使用するノズル９を決定している。
【００２２】
具体的には、例えば、顔の肌１２に対して使用する場合には５ｍｍの大きさの孔を有するノズル９を使用し、腕・足の肌１２に対して使用する場合には１０ｍｍの大きさの孔を有するノズル９を使用し、背中の肌１２に対して使用する場合には１０ｍｍの大きさの孔を有するノズル９を使用する。
【００２３】
金微粒子含有窒素ガス１０は、既述のように、例えば、２Ｋｇ／ｃｍ２〜１０Ｋｇ／ｃｍ２の圧力で、ノズル９から噴出される。なお、ノズル９と肌１２との距離は、限定的ではないが、１〜７ｃｍ程度とするとよい。
【００２４】
肌１２は、金微粒子含有窒素ガス１０の噴射対象である。肌１２は、顔、腕、足、背中など、人間の部位が限定されるものではない。
【００２５】
制御回路１３は、後述するリモートコントローラからの指示に従って、減圧弁２及びエアオペレートバルブ３等に制御信号を出力するものである。
【００２６】
なお、図１の美容装置には、必要に応じて、ノズル９の位置を固定する固定手段と、カバー８内で受けた容器２５下の空気及び金微粒子含有窒素ガス１０を排気する排気手段とを備えるとよい。さらには、美容装置の使用時に、肌１２又は容器２５を４２℃程度まで加熱する加熱手段を備えるとよい。加熱手段を備えると、金微粒子等が肌１２に入り込みやすいという利点がある。
【００２７】
図２は、図１に示す容器保持部７に収容される容器２５及び容器２５への金微粒子６の収容処理の説明図である。
【００２８】
図２（ａ）には、槽２４内にコラーゲン２１と金微粒子６との混合体に対して、超音波導入パイプ２０を差し込み、超音波導入パイプ２０から超音波２３を導入している状態を示している。超音波２３は、上記混合体を拡販することによって、コラーゲン２１内に金微粒子６を均一に拡散させる攪拌部材である。
【００２９】
図２（ｂ）には、図２（ａ）に示す槽２４から取り出したコラーゲン２１及び金微粒子６を容器２５に収容した状態に示す。容器２５は、容器保持部７に保持したときにステンレスフレキシブルパイプ５及びノズル９の対向面に、剥離可能又は十字状等の切れ目などが形成されていて破断可能なフィルム２６が取り付けられている。容器２５の素材は、例えば、透明なポリオレフィン、ポリエチレンなどの可撓性又は軟性を有するものとしている。
【００３０】
図３は、図１に示す容器保持部７の模式的な構成を示す分解斜視図である。図３には、以下説明する、上部容器７Ａと、下部容器７Ｂと、Ｏリング７Ｃとを示している。
【００３１】
上部容器７Ａは、ステンレスパイプ４に接続される接続部７ａと、Ｏリング７Ｃが配される溝７ｂとを有する。
【００３２】
下部容器７Ｂは、ノズル９に接続される接続部７ｃと、Ｏリング７Ｃが配される溝７ｄとを有する。
【００３３】
Ｏリング７Ｃは、上部容器７Ａと下部容器７Ｂとの間に設けられ、上部容器７Ａと下部容器７Ｂとの気密性を担保するものである。
【００３４】
上部容器７Ａと下部容器７Ｂとの接続部は、例えば螺子切りされていて、締め付けによって、上部容器７Ａと下部容器７Ｂとの接続を行うようにしている。
【００３５】
図４は、減圧弁２及びエアオペレートバルブ３の開閉制御を指示するためのリモートコントローラ１００の模式図である。リモートコントローラ１００は、図１に示す美容装置本体の電源のオン／オフボタン１０１，１０２と、エアオペレートバルブ３の開閉パターン毎に割当てられている複数の指示ボタン１０３とを備える。
【００３６】
電源オンボタン１０１が押下され、それが制御回路１３で検知されると、減圧弁２を開状態とする制御信号が減圧弁２に出力される。一方、電源オフボタン１０２が押下され、それが制御回路１３で検知されると、減圧弁２を閉状態とする制御信号が減圧弁２に出力される。
【００３７】
指示ボタン１０３は、それぞれ、所定時間当たりにエアオペレートバルブ３を開状態とする回数／時間などが異なるパターンが割当てられている。
【００３８】
図５は、図４の各指示ボタン１０３に対応する制御信号のパターンを示す図である。ここには、指示ボタン「１」、指示ボタン「２」、指示ボタン「１０」に対応する各パターンを示している。
【００３９】
例えば、指示ボタン「１」は所定時間Ｔ内に１回エアオペレートバルブ３を０．５秒間開状態とし、指示ボタン「２」は所定時間Ｔ内に２回エアオペレートバルブ３を０．５秒間開状態とし、．．．、指示ボタン「１０」は所定時間Ｔ内に１０回エアオペレートバルブ３を０．５秒間開状態とするなどとしている。
【００４０】
つぎに、図１に示す美容装置の動作について説明する。図１に示す美容装置のオペレータは、使用に先立って、コラーゲン２１及び金微粒子６が収容された容器２５を、容器保持部７に保持させる。そして、美容装置のオペレータが、使用時に、電源オンボタン１０１を押下すると、制御回路１３から減圧弁２を開状態にする制御信号が出力される。
【００４１】
減圧弁２は、制御回路１３から出力された制御信号を入力すると、当該信号に従って弁を開状態にする。この結果、窒素ガスボンベ１内の窒素ガスは、減圧弁２を通過して、ステンレスパイプ４内を流れ、エアオペレートバルブ３まで到達する。
【００４２】
この状態で、美容装置のオペレータが、肌１２の所要の位置上にノズル９を位置させてから、適宜、各指示ボタン１０３のいずれかを押下すると、制御回路１３からエアオペレートバルブ３に対して、所要の開閉信号が出力される。
【００４３】
エアオペレートバルブ３は、制御回路１３から出力された開閉信号を入力すると、当該信号に従ってバルブの開閉を行う。この結果、窒素ガスは、エアオペレートバルブ３を通過して、ステンレスパイプ４及びステンレスフレキシブルパイプ５を通り、容器保持部７に到達する。
【００４４】
容器保持部７内には、コラーゲン２１及び金微粒子６が収容された容器２５が保持されているので、容器保持部７を通る窒素ガスは、金微粒子６を圧送する。この結果、ノズル９から金微粒子および金微粒子含有窒素ガス１０が噴出される。
【００４５】
金微粒子含有窒素ガス１０等が肌１２に到達すると、毛穴等に入り込む。金微粒子含有窒素ガス１０は、その噴出圧が毛穴等を広げる効果もあるため、単に、金微粒子を肌１２に対して塗布した場合に比して、毛穴等の奥まで入り込むことになる。
【００４６】
その後、美容装置のオペレータは、ノズル９の位置を変えて、肌１２の別の位置に対して、金微粒子含有窒素ガス１０等の噴出を行う。以上の処理の結果、毛穴等の中には金微粒子６が所定期間定着することになるので、肌１２では、細胞の活性化等のメリットが得られる。
【００４７】
なお、上記処理を行うのに先立って、以下説明する前処理を行ってもよい。すなわち、容器２５を容器保持部７に保持させる前に、ノズル９を所要位置に合わせた状態で、減圧弁２及びエアオペレートバルブ３を開状態として、肌１２に窒素ガスを吹きかける。こうすると、窒素ガスの噴出によって、毛穴等をより広げることになるため、美容効果が向上する。
【００４８】
（実施形態２）
図６は、本発明の実施形態２に係る容器２５’の模式図である。図６には、図２（ｂ）に示した容器２５の変形例を示している。図６に示す容器２５’は、コラーゲン２１と金微粒子６との混合体が収容される本体と、本体の開口部を覆う１枚のフィルム２７と、フィルム２７の貼付位置に形成されている両面粘着テープ２８とを示している。
【００４９】
容器２５’からフィルム２７を剥がして、両面粘着テープ２８を肌１２に直接付着させると、コラーゲン２１及び金微粒子６が、肌１２に直接触れることになる。この状態で、容器保持部７に容器２５を保持させずに、ノズル９から窒素ガスを噴出させる。
【００５０】
この際、ノズル９を、肌１２の両面粘着テープ２８付着部分近傍上に位置させると、窒素ガスが容器２５’に吹き付けられることになる。この結果、肌１２に対して、コラーゲン２１及び金微粒子６が提供されることになり、肌１２の毛穴等に対して金微粒子６等が入り込むことになる。
【００５１】
本実施形態に係る容器２５’を用いると、金微粒子６が飛翔することがないので、カバー８を用いたり、排気手段を用いたりすることがなくなる。
【００５２】
（実施形態３）
図７は、本発明の実施形態３に係るノズル９の底面の模式図である。図７には、容器保持部７の接続部７ｃに接続される側面部３４と、側面部３４の内径と略同一サイズの外径の底面部３０とを備える。底面部３０には、例えば８つの外周孔３２と、例えば５つの内周孔３３とが形成されている。各孔３２，３３には、金メッキ３５等が施されている。
【００５３】
図８，図９は、図７に示すノズル９の製造工程を示す図である。まず、所定の大きさのアルミニウム体３０を用意する。アルミニウム体３０は、図６に示した底面部３０となる部分である。つぎに、アルミニウム体３０を、上部３０ａが円盤状であって、下部３０ｂがリング状の形状に加工する。つづいて、アルミニウム体３０の上面であって孔３２，３３に対応する部分以外に、シリコン酸化膜３１またはレジストパターンを形成する（図８（ａ））。
【００５４】
その後、シリコン酸化膜３１等が形成されたアルミニウム体３０に対して、陽極酸化処理を施す。この結果、シリコン酸化膜３１等が形成されていない部分には、孔３２，３３が形成される（図８（ｂ））。
【００５５】
つぎに、アルミニウム体３０の上面からシリコン酸化膜３１等を除去する。内周孔３３は、実施形態１等で説明した場合と同様に、肌１２の表面への金微粒子等の噴出口として機能する。一方、外周孔３２は、肌１２の表面を貫通して、注射針として機能する（図８（ｃ））。
【００５６】
外周孔３２は、先端（下端）が、皮膚の真皮程度深さまで到達するような条件とする。換言すると、外周孔３２の下端と内周孔３３の下端との距離は、肌表面と真皮との距離程度とする。具体的には、外周孔３２の下端と内周孔３３の下端との距離は、０．５ｍｍ〜２．０ｍｍ程度とするとよい。
【００５７】
その後、注射針として機能する孔３２ｂが、皮膚内に進入したときに、アルミニウムアレルギーなどの炎症等の発生を防ぐために、孔３２，３３を含む、アルミニウム体３０の表面に対して、金メッキ３５を施すことで底面部３０が完成する（図８（ｄ））。
【００５８】
こうして製造した底面部３０を、接着剤などを用いて、側面部３４に取り付けると、図７に示すノズル９が完成する。底面部３０と側面部３４との間には、気密性を高めるために、Oリングを取り付けてもよい（図９（ｅ））。
【００５９】
その後、ノズル９の側面部３４の上面に対して、ノズル９と容器保持部７とを接続する接続部３８を設ける。そして、接続部３８を通じて、ノズル９を容器保持部７に対して接続する（図９（ｆ））。
【００６０】
もっとも、ノズル９は、図７に示す形状、形態に限定されるものではないし、
図８に示す製造工程に限定されるものでもない。例えば、図１０に示す底面図，図１１に示す側面図のように、孔３２，３３を区別しない形態とすることもできる。
【００６１】
（実施形態４）
図１２は、本発明の実施形態４に係るカバー８の変形例を示す図である。図１２に示すように、本実施形態に係るカバー８は、容器保持部７自体も覆うタイプとしている。このため、容器保持部７に装着される容器もカバー８で覆われるので、容器下の排除される空気、金粒子及び金粒子含有窒素ガス１０の飛散を防止することができる。
【００６２】
さらに、図１２に示すカバー８を用いると、Ｏリング７Ｃが磨耗する、容器保持部７とステンレスフレキシブルパイプ５との接続部分が緩む、又は、容器保持部７とノズル９との接続部分が緩むなどして、ノズル９の先端以外の箇所から金微粒子含有窒素ガス１０が漏れた場合に、周囲への金微粒子含有窒素ガス１０の飛翔を防止することができると云う効果がある。
【００６３】
（実施形態５）
図１３は、本発明の実施形態５に係る容器保持部７及びカバー８等の変形例を示す図である。図１３には、既述の部分に加えて、ステンレスフレキシブルパイプ５と容器保持部７側とを接続するクイックカップリングなどのジョイント４８と、ステンレスフレキシブルパイプ５を通る高圧ガスを容器保持部７に導入する高圧ガス導入パイプ４７と、高圧ガス導入パイプ４７に対してカバー８を取り付けるためのナット４６と、ナット４６に付帯して設けられるゴムパッキン４５と、高圧ガス導入パイプ４７とノズル９との間に設けられるOリング４４とを示している。
【００６４】
このような形状のカバー８等を用いると、美容装置のオペレータの目の位置と肌１２との間が、カバー８が位置しなくなり、視界がカバー８によって遮られることがなく、作業性が向上する。
【００６５】
図１４は、図１３の変形例を示す図である。図１４に示すカバー８は、その側壁であって、高圧ガス導入パイプ４７との接続位置よりも下流に、複数の排気孔５１が設けられている。排気孔５１を設けることで、容器２５下の空気を逃がすことができ、圧縮窒素ガス１０により金粒子が勢い良く肌に噴射できる。
【００６６】
図１５は、図１４の変形例を示す図である。ここでは、カバー８に設けた唯一の排気孔５１に対してパイプ５２を接続し、さらに、パイプ５２に対してジョイント５３を介して、排気用パイプ５４及び圧気用パイプ５５を接続している。
【００６７】
排気用パイプ５４に接続される排気ポンプを作動させると、ノズル９内の容器２５下の空気が排気され、金粒子を勢い良く肌に噴射できる。一方、圧気用パイプ５５に接続される圧気用パイプ５５に接続される圧気ポンプを作動させると、カバー８内にまわりこんだ金粒子を、再度、肌１２に向けることができる。圧気ポンプを作動させる際には、ノズル９からも圧縮窒素ガス１０を噴出することが望ましい。
【産業上の利用可能性】
【００６８】
本発明は、美容業に利用できる。
【図面の簡単な説明】
【００６９】
【図１】本発明の実施形態１の美容装置の模式的な構成図である。
【図２】図１に示す容器保持部７に収容される容器２５及び容器２５への金微粒子６の収容処理の説明図である。
【図３】図１に示す容器保持部７の模式的な構成を示す分解斜視図である。
【図４】減圧弁２及びエアオペレートバルブ３の開閉制御を指示するためのリモートコントローラ１００の模式図である。
【図５】図４の各指示ボタン１０３に対応する制御信号のパターンを示す図である。
【図６】本発明の実施形態２に係る容器２５’の模式図である。
【図７】本発明の実施形態３に係るノズル９の底面の模式図である。
【図８】図７に示すノズル９の製造工程を示す図である。
【図９】図７に示すノズル９の製造工程を示す図である。
【図１０】図７に示すノズル９の変形例を示す底面図である。
【図１１】図７に示すノズル９の変形例を示す側面図である。
【図１２】本発明の実施形態４に係るカバー８の変形例を示す図である。
【図１３】本発明の実施形態５に係る容器保持部７及びカバー８等の変形例を示す図である。
【図１４】図１３の変形例を示す図である。
【図１５】図１４の変形例を示す図である。
【符号の説明】
【００７０】
窒素ガスボンベ１、減圧弁２、エアオペレーバルブ３、ステンレスパイプ４、ステンレスフレキシブルパイプ５、金微粒子６、容器保持部７、カバー８、ノズル９、金微粒子含有窒素ガス１０、肌１２、制御回路１３
【図１】
2008237626.tif 000003
【図２】
2008237626.tif 000004
【図３】
2008237626.tif 000005
【図４】
2008237626.tif 000006
【図５】
2008237626.tif 000007
【図６】
2008237626.tif 000008
【図７】
2008237626.tif 000009
【図８】
2008237626.tif 000010
【図９】
2008237626.tif 000011
【図１０】
2008237626.tif 000012
【図１１】
2008237626.tif 000013
【図１２】
2008237626.tif 000014
【図１３】
2008237626.tif 000015
【図１４】
2008237626.tif 000016
【図１５】
2008237626.tif 000017